(57)【要約】      （修正有）【課題】運動者が望む形態に変更可能な運動用具で老若男女および軽度心身障害者が単独または協同して、心身機能の維持向上と交流、建設的な会話および共生に寄与する運動用具は背景技術にない。この課題を解決する運動用具を提供する。【解決手段】内径概１０センチメートルで高さと開口部の向きを任意に変え得る蛇腹筒または高さと開口部の向きが異なる直筒に、弾力性のある角を突起部とするキャップまたは羽根車を突起とするキャップまたは網を突起とするキャップのいずれかを任意の筒に装着するか、あるいはラケットおよび反発板のいずれかを載せて的となる筒群を構成し、それらを任意に配列し、ピンポン玉またはゴムボールまたは突起のあるマリを任意に選んで、任意に配点した筒群にマリを入れて得点を競う運動用具。【選択図】    図１
2005066237.tif 000002
【特許請求の範囲】
【請求項１】
適当な内径の複数の筒と、頭上が穴開きの複数のキャップと、適度な反発力があって前記筒およびキャップに入る大きさの複数のマリと、複数のラケットおよび複数の反発板と、得点を表示する配点札と、運用ルールからなる運動用具。
【請求項２】
前記の筒は、伸縮させて高さが変えられる請求項１記載の運動用具。
【請求項３】
前記の筒は、開口部の向きが変更できる請求項１から２記載の運動用具。
【請求項４】
前記の筒は、高さが異なる筒である請求項１記載の運動用具。
【請求項５】
前記の筒は、底のある筒である請求項１から４記載の運動用具。
【請求項６】
前記の筒は、開口部が垂直である請求項１および４から５記載の運動用具。
【請求項７】
前記の筒は、開口部が斜めである請求項１および４から６記載の運動用具。
【請求項８】
前記の筒は、開口部を広げた吊り下げネット筒とする請求項１から３および５から７記載の運動用具。
【請求項９】
前記のキャップは、筒の開口部への装着を可能にした請求項１から８記載の運動用具。
【請求項１０】
前記のキャップは、上部に突起部を設けた請求項１から９記載の運動用具。
【請求項１１】
前記のキャップは、弾力性のある角を突起部とする請求項１から１０記載の運動用具。
【請求項１２】
前記のキャップは、羽根車を突起部とする請求項１から１０記載の運動用具。
【請求項１３】
前記のキャップは、網を突起部とする請求項１から１０記載の運動用具。
【請求項１４】
前記のキャップは、下部に脚部を設けた請求項１から１３記載の運動用具。
【請求項１５】
前記のキャップは、脚部に可動可能なリングをはめた請求項１から１４記載の運動用具。
【請求項１６】
前記のキャップは、脚部を凹凸にした請求項１から１１記載の運動用具。
【請求項１７】
前記のマリは、ピンポン玉である請求項１から１６記載の運動用具。
【請求項１８】
前記のマリは、テニスボールである請求項１から１６記載の運動用具。
【請求項１９】
前記にマリは、ゴムボールである請求項１から１６記載の運動用具。
【請求項２０】
前記のマリは、弾力性のある突起を設けたマリである請求項１から１６記載の運動用具。
【請求項２１】
前記のラケットおよび反発板は、兼用できる請求項１から請求項２０記載の運動用具。
【請求項２２】
前記のラケットは、網である請求項１から２１記載の運動用具。
【請求項２３】
前記のラケットは、握り手部がある請求項１から２２記載の運動用具。
【請求項２４】
前記の反発板は、握り手部がある請求項１から２１記載の運動用具。
【請求項２５】
前記の配点札は、表示できる請求項１から２４記載の運動用具。
【請求項２６】
前記の配点札は、前記の筒に添付できる請求項１から２５記載の運動用具。
【請求項２７】
前記の運用ルールは、運動者の合意により変更可能とした請求項１から２６記載の運動用具。
【請求項２８】
前記の運用ルールは、運動者の初期位置が的となる筒群から５０センチメートルから２００センチメートル離れた場所である請求項１から２７記載の運動用具。
【請求項２９】
前記の運用ルールは、運動者が的群に対峙する方向を任意とする請求項１から２８記載の運動用具。
【請求項３０】
前記の運用ルールは、複数の運動者の初期間隔を任意とする請求項１から２９記載の運動用具。
【請求項３１】
前期の運用ルールは、運動者がマリを筒に転送するラケットである請求項１から３０記載の運動用具。
【請求項３２】
前記の運用ルールは、運動者がマリを筒に転送する反発板である請求項１から３０記載の運動用具。
【請求項３３】
前記の運用ルールは、運動者がマリを床から反転する反発板である請求項１から３２記載の運動用具。
【請求項３４】
前記の運用ルールは、一組の運動者が持つマリの数を任意数とする請求項１から３３記載の運動用具。
【請求項３５】
前記の運用ルールは、サーブ権を持つ運動者がマリを筒群に転送する前に床で反転させる請求項１から３４記載の運動用具。
【請求項３６】
前記の運用ルールは、サーブ権を持つ運動者がマリを筒群に転送する前に反発板で反転させる請求項１から３５記載の運動用具。
【請求項３７】
前記の運用ルールは、一組の運動者がそれぞれマリを転送する回数が１回以上である請求項１から３６記載の運動用具。
【請求項３８】
前記の運用ルールは、運動者の合意により設定した配点札である請求項１から３７記載の運動用具。
【請求項３９】
前記の運用ルールは、運動者の合意により任意の筒に表示する配点札である請求項１から３８記載の運動用具。
【請求項４０】
前記の運用ルールは、運動者の合意により転送回数未満で的の筒にマリを入れた場合に減点する請求項１から３９記載の運動用具。
【請求項４１】
前記の運用ルールは、運動者が的の筒に入れたマリ数に配点札に表示した配点数を合算して総得点とする請求項１から４０記載の運動用具。
【発明の詳細な説明】
【技術分野】
【０００１】
この発明は、老若男女および軽度の心身障害者が単独または協同運動を通じて、心身機能の活性化および共生に寄与するために、運動者の裁量で多様な仕組みに変更することを可能にした筒群の的にラケットおよび反発板を使用してマリを入れるゲームに供する運道用具に関する。
【背景技術】
【０００２】
この発明のように、運動能力に差異ある者が単独または協同運動を通じて、心身の活性化および共生に貢献する仕組みを運動者の裁量で自由に変更できる運道用具は提供されていない。
例えば輪投げや卓球やペタンクやカーリングなどの遊具や運動用具は、運動能力に差異ある者が協同で運動することができないシステムである。また、前記運動者の裁量によって仕組みや運用方法を変更することができないのである。それだけに遊具、運動用具としての訴求力、誘因性が低いのである。
【発明の開示】
【発明が解決しようとする課題】
【０００３】
老若男女および軽度心身障害者の身体の維持向上に寄与する運道用具。
【０００４】
老若男女および軽度心身障害が単独または協同して運用が可能な運道用具。
【０００５】
老若男女および軽度心身障害者の心のリハビリ、相互理解、共生に貢献する運動用具。
【０００６】
老若男女および軽度の心身障害者の裁量によって運用システムの変更を容易にする運動用具。
【課題を解決するための手段】
【０００７】
ラケットまたは反発板を使用して的となる筒群にマリをいれるゲームに供する筒群の構成配列と運用ルールである。この手段はまた、老若男女軽度の心身障害者が協同して主体的に運用できるようにした手段である。
この運動用具で使用する用具は、的となる直筒、蛇腹筒、開口部を広げて吊り下げ可能としたネット筒、および筒に任意の高さで装着可能とした弾力性のある角を突起とする脚付きキャップ、網を突起とする脚付きキャップ、羽根車を突起とする脚付きキャップ、筒の上部を斜めにカットして突起部とする脚付きキャップおよび筒に載せられてマリの転送にも兼用できる握り手部を設けたラケット、握り手部を設けた反発板のほか、ピンポン玉、ゴムボール、弾力性のある突起部を設けたマリと得点を表示する配点札および単独または複数の運動者が合意により意外性を取り込んだ手段である。
【発明の効果】
【０００８】
この発明は、的となる筒の構成配列、運用方法を運動者の自由裁量によって変更できる形態にしたことによって背景技術にない幅広い効果が得られる。
第一に、この運動用具は、心身機能のバランスを必要とするから心身機能の維持向上に役立つ。
第二に、この運動用具は、老若男女、軽度心身障害者の運動能力の差異に関係なく協同して運動できること、さらに的となる筒群の構成配列と運用方法の変更プロセスにおいて、背景技術にない対話が生まれ進展するから運動者間の相互理解、共生、児童・生徒の教育に役立つ。
第三に、この運動用具は、運動者の心身機能のレベル、意欲の変化に対応して所望する難易度および形態に変更できる運動用具であるから運動用具の訴求力、誘因性が向上し飽きられることがない。
第四に、この運動用具は、安価に提供できるから家庭でも広く利用できる。
【発明を実施するための最良の形態】
【０００９】
発明を実施するための最良の形態とは、老若男女、経度のハンディキャップ・パーソンが合意の下に協同して正方向に運用できる形態、かつ前記の者が心身の活性化および相互理解に最大限貢献する形態としての筒群の構成配列と運用方法である。正方向に運用できるとは、運動者個々の得手が活かせる運用方法、意外性を組み込んで不得手を際立たせない運用方法である。
【００１０】
筒群の最良の配列は、縦横斜め放射状に配列し適当な筒に突起部を設けたキャップを装着、もしくはラケットまたは反発板を載せたスリ鉢状の構成配列である。
具体的には、筒の中で最も低い筒を中央に置き、前記筒の開口部にキャップを水平に装着する構成である。また、中央の筒の周りに縦横斜め放射状に２層の筒群、同じ層の筒群は同じ高さ、外に向かうにつれて階段状に高い筒にして近接配列し、１層目の筒にラケットと反発板を交互に載せる構成配列である。前記以外は無冠の筒であり、１層目の筒の開口部を真上に構成し、２層目の筒の開口部を中央の筒に向かわせる構成である。
また、中央の筒と２層目の筒に最高の配点札を、１層目の筒に前記配点札の半分の配点札を表示する構成である。さらに、運動場の床が反発機能のない床、例えば畳や絨毯や土床の場合にはそれぞれの運動者の足元に反発板を設置する構成である。
【００１１】
発明を実施するための最良の形態における最良の運用方法は、３人の運動者によるチーム編成で各人１回のサーブ権が与えられるラリー方式である。
具体的には、３人の運動者が筒群の３方およそ５０〜１００センチメートル離れた等間隔の位置に陣取り、サーブ権者は第一投でマリを床に落下させ、反転したマリをラケットまたは反発板を使用して他の２者の運動者に転送し、３者間を任意の順序で１回以上転送したのちに的の筒群に入れる運用である。
【００１２】
チームの得点は、前記規定のラリーの後に入ったマリを筒に付与した配点札の点数を加算し、ラリーの途中で筒に入ったマリの得点は、筒に表示した配点札の半分を得点とする運用である。
【実施例１】
【００１３】
この発明の実施例１を図１の斜視図により説明する。筒の構成配列において、内径概１０センチメートルの蛇腹筒１７本を伸縮させて縦横斜めの放射状に３層近接配列し、３層目外縁８本の筒を等間隔に配列して、筒の伸縮幅を外に向かって段階的に高くしてスリ鉢状に構成してある。各層の高低差は概１０センチメールである。中央の筒１は概３０センチメートルであるから３層目外縁の筒の高さは概５０センチメートルである。中央の筒１の開口部を真上にして弾力性のある３本の角２を突起部とするキャップ３を筒との間隙部４を７センチメートルあけて水平に装着してある。前記７センチメートルの間隔と水平保持は、キャップの下部に付設した３本の脚図１０の２４に嵌めた可動するリング図１０の２５を移動してなる。前記３本の角は等間隔で垂直である。次に３層目の筒５の開口部を真上にして羽根車を突起物とするキャップ６を装着してある。また筒７の開口部を真上にして握り手を設けたラケット８を載せてある。３層目の筒９、１０、１１、１２，１３，１４は同じ高さにして無冠で開口部を真上にしてある。また、２層目の筒は同じ高さにして無冠で開口部を真上に向けてある。この実施例で使用するマリは、図４の直径概４センチメートルのピンポン玉３個である。この実施例で使用するラケットは、図２の握り手部を設けたラケットである。この実施例で使用する反発板は、図３の握り手部を設けた反発板である。ラケットと反発板は一体であり兼用できる。
実施例１の筒群の構成配列と配点札の構成配置は以上であるが、筒群を蛇腹筒に替えて継ぎ足して高さが変えられる筒に替えてもよい。また、開口部を広げた吊り下げネット筒に替えてもよい。
筒１に装着した弾力性のある３本の角を突起部とするキャップに替えて羽根車を突起物とするキャップ、網を突起とするキャップ、握り手部を設けたラケット、握り手部を設けた反発板でもよい。また、筒５に載せた羽根車を突起とするキャップ６に替えて弾力性のある３本の角を突起部とするキャップ、網を突起部とするキャップ、握り手部を設けたラケット、握り手部を設けた反発板でもよい。同様に、筒７に載せた握り手部を設けたラケット８に替えて握り手部を設けた反発板、弾力性のある３本の角を突起部とするキャップ、網を突起部とするキャップでもよい。さらにキャップを装着する筒、ラケットや反発板を載せる筒の配列変更および筒の開口部の向きを変更してもよい。また、キャップの脚を凸凹にして筒の外部で係止してもなんら差し支えない。この実施例で使用するマリは、ピンポン玉であるがピンポン玉と同軽もしくは以下の径のゴムボールや弾力性のある突起を設けたマリに替えてもよい。
【００１４】
この実施例１は、一組３人の運動者がチームを組み、それぞれがサーブ権を行使するラリー形式である。３人の運動者は筒群の円を概３等分する位置、外周の筒から概５０センチメートル離れた位置を初期設定位置として向き合っている。各人はサーブ権を行使するために１個のピンポン玉を持っている。運動者A、Ｂは反発板を持ち、運動者Ｃはラケットを持っている。この実施例では運動場の床に反発機能があるので反発板を床に置いていない。
【００１５】
サーブ権行使の順番はＡ，Ｂ，Ｃの順である。第一番のサーブ権行使運動者Ａは、第１投を概１００センチメートルの高さからピンポン玉を床に落とし、反転したピンポン玉を反発板で運動者ＢまたはCに送る。ピンポン玉を送られた運動者Ｂは反発板で、運動者Ｃはラケットで受け取って運動者Aまたは運動者B、運動者Cに転送する。転送の順番は任意である。ただし運動者は１回以上転送に参加しなければならない。ピンポン玉を受け取りまたは転送するために運動者が初期設定位置を移動することは許される。それぞれの運動者が１回以上転送に参加した後は適当な運動者が筒にピンポン玉を入れる。
【００１６】
チームの得点計算は、配点札の割り当てにおいて、中央の筒１に図５の２０点の配点札を、２層目の筒に図５の５点の配点札を、３層目の筒９、１０，１１，１２，１３，１４に１０点の配点札を配置表示する。筒に入ったピンポン玉の数と筒に表示されている配点札を合算してチームの総得点とする。ラリーの途中で入ったピンポン玉は筒に表示した配点の半分を加算する。
【００１７】
各チームは、以上の形態を交互に３回運用して総得点を競う。
【実施例２】
【００１８】
この発明の実施例２を図６の斜視図により説明する。筒の構成配列において、内径概１０センチメートルの直筒で３列３段の雛壇状に近接配列してある。筒の高低は１段目の筒１５、１６、１７は３０センチメートルで開口部が斜めである。２段目の筒１８、２０は６０センチメートルで開口部が斜めである。筒１９は５０センチメートルで開口部は平らである。３段目の筒は９０センチメートルで開口部は斜めである。２段目の筒に網を突起とするキャップ２１を装着してある。網目の形と大きさは中央網目部２２が概直径６センチメートルの円形である。外周網目部２３の網目は等しく概２センチ幅の略扇形である。
この実施例で使用するマリは、図７の直径概４センチメートルのゴムボール３個である。この実施例で使用するマリの転送用具は、図９の握り手部を設けたラケットである。
以上が実施例２の筒群の構成配列であるが、筒群を蛇腹筒、開口部を広げた吊り下げネット筒に替えて高さを変動させてもよい。また、網を突起部とするキャップに替えて弾力性ある角を突起部とするキャップ、羽根車を突起とするキャップ、握り手部を設けたラケット、握り手部を設けた反発板のいずれかでもよく、筒の開口部の向きを変更してもよい。
マリをゴムボールに替えてピンポン玉、弾力性のある突起を設けたマリでもよい。さらに握り手部を設けたラケットに替えて握り手部を設けた反発板でもよく、筒に割り当てた配点数を変更してもよい。
【００１９】
実施例２は一人の運動者が運用するシステムである。運動者の初期位置設定は的の筒群の正面、概１００センチメートル離れた位置で的群に対峙する。握り手部を設けたラケット４３を使用して第１投を運動者自ら床に落として反転した一個のゴムボールを的に入れる。この手順を合計３回繰り返す運用である。以上が実施例２の運用方法であるが、運動者が床から反転したゴムボールを的に入れる前にゴムボールを２回以上ラケット上で跳躍させる運用に変更することもできる。
【００２０】
得点計算は、配点札の割り当てにおいて、筒１９に図８の１５点の配点札を、３段目の筒に図８の１０点の配点札を、２段目の筒に図８の５点の配点札を、１段目の筒に図８の７点の配点札を配置表示する。筒に入ったゴムボールの数と配点札に表示した配点数の合算である。
【００２１】
複数の運動者は、この実施例を交互に運用して得点を競う。
【産業上の利用可能性】
【００２２】
この発明が産業上利用可能な最大の理由の１に、老人福祉施設を利用する老人の心身のリハビリおよび共生、また精神衛生向上の新たな手立てとして産業上利用の可能性が極めて高いのである。なぜなら老人施設で一般に行われている遊戯等は、人格形成がなったプライドの高い成人を幼児扱いするに等しいお手玉や簡単な手足の運動や歌であり、人格に見合った運動とは言いがたく、心身のリハビリに最も貢献する仕組みがない現在、老若男女、心身に軽度のハンディキャップを持つ者が協同して心身のリハビリ、世代を越えた交流に寄与するシステムを具現する運動用具が今まさに模索されているからである。
【図面の簡単な説明】
【００２３】
【図１】実施例１の斜視図である。
【図２】実施例１のラケットの斜視図である。
【図３】実施例１の反発板の斜視図である。
【図４】実施例１のピンポン玉である。
【図５】実施例１の配点札である。
【図６】実施例２の斜視図である。
【図７】実施例２のゴムボールである。
【図８】実施例２の配点札である。
【図９】実施例２のラケットである。
【図１０】実施例１のキャップの斜視図である。
【図１１】台付きネット筒の斜視図である。
【符号の説明】
【００２４】
１  中央筒    
２  角
３  角を突起部とするキャップ  
４  間隙部
５、７、９、１０、１１、１２、１３、１４、  ３層目の蛇腹筒
６  羽根車を突起部とするキャップ
１５、１６、１７、１８，１９、２０  直筒
２１  網を突起部とするキャップ
２２  中央網目部  
２３  外周網目部
２４  キャップの脚
２５  リング
【図１】
2005066237.tif 000003
【図２】
2005066237.tif 000004
【図３】
2005066237.tif 000005
【図４】
2005066237.tif 000006
【図５】
2005066237.tif 000007
【図６】
2005066237.tif 000008
【図７】
2005066237.tif 000009
【図８】
2005066237.tif 000010
【図９】
2005066237.tif 000011
【図１０】
2005066237.tif 000012
【図１１】
2005066237.tif 000013